(57)【要約】【課題】コスト効率の良いインプット・アウトプット・デバイスが必要である。【解決手段】入出力手段／検知・表現手段／液晶入出力手段／無機Ｅ１入出力手段／有機Ｅ１入出力手段／画像入出力手段／音声入出力手段／赤外線入出力手段／動作出入力手段／シュミレーター／人工知能によって、ユーザーとのコミュニケーションをより良くする。【選択図】図１
2008041066.tif 000002
【特許請求の範囲】
【請求項１】
明細書により、示唆される、インプット・アウトプット・デバイス。
【請求項２】
明細書により、示唆される、インプット・アウトプット・アルゴリズム。
【請求項３】
１）  検知手段によって、被写体の位置を見つけ、インプット情報の判断をする。
２）  必要ならば、被写体動作の情報を獲得してインプット・アウトプット・情報とする。
３）  情報から、適宜なインプットとアウトプットを判断する。
４）  これらの適宜な組み合わせを行う
ことを特徴とするシステム。
【請求項４】
請求項１において、吉野シュミレーター、吉野ニオンを使用するデバイス。
【請求項５】
請求項１において、吉野シュミレーター、吉野ニオンを使用するアルゴリズム。
【発明の詳細な説明】
【技術分野】
【０００１】ボタン、キーボート、マウス画像認識における技術分野
【背景技術】
【０００２】ボタン、キーボード、マウスが基本的なインプット・デバイスである。
【発明の開示】
【発明が解決しようとする課題】
【０００３】ボタン、キーボード、マウスでは、製造とコストがかかりすぎる。
【課題を解決するための手段】
【０００４】ＬＳＩ／コンピューターを使い、紙／シートをベースとしたプリント・パターン、若しくは、レーザー／ヒカリを投射したパターンに、棒、ヒカリ、リードユニット、指、もしくは、腕、もしくは、足、もしくは、体、若しくは、体の一部、若しくは、体の数箇所、若しくは、顔、若しくは、口の動きをカメラ／ビデオカメラ／検知体／センサーで画像認識もしくは音声認識をして、ボタン、キーボード、マウス的なインプット、若しくは、一般的な情報として、インプット情報とする。繰り込みウェアー／コンピューター、若しくは  携帯電話、若しくは、人工ボディー、若しくは、アーティフィシャル・クリーチャーに搭載する。ウサギ、猫、虎、百個、獅子、鳥のような形をしていても良い。被写体として、指、顔、口、レター、声、言葉、音楽をインプットして使用してもよい。音声の解析と人工知能の搭載。音声の印刷をディスプレイ上にしても良い。印刷は、キーボードの一般的なパターンでも良い。ＡＴＧＣ用の遺伝的、４ビット、若しくは  ８ビットキーボードであっても良い。２進数、４進数、ｎ進数であっても良い。プログラム、ＤＮＡプログラミング、ＤＮＡコンピューターなどに応用。人工知能搭載、キーの打ち込みの教育、姿勢の補正、医療の提案などをしても良い。吉野シュミレーター、吉野ニオンを使用して、解析をしても良い。吉野コードのインプット・アウトプットにも適宜である。
【発明の効果】
【０００５】コンピューターのカメラ、ビデオカメラ、テレビ電話においてかかるコストの近くで、ボタン、キーボード、マウス、カメラ、ビデオカメラ、の機能をすることが出来る。
使っていて、あまり手が疲れない。
体の姿勢をモニターして、姿勢があるべき姿／適宜な姿からずれたら、気遣ってアドバイスをする。
指の動かし方を教育したり、音楽を奏でたりするので、頭の発達に良い。
バイオリンを紙、若しくは、棒で演奏できる。
【発明の実施する最良の形態】
【０００６】  紙もしくはプラスチックに、単色、濃色、淡色、カラフル色の適宜な組み合わせのパターンを印刷する。
インプット・カメラ、インプット・ビデオ・カメラで、指の動きを画像認識させて、パターン認識させる。
例  １）パターンの変化を見て、指の位置を確認する。
例  ２）色の変化を見て、指の位置を確認する。
例  ３）デルタ法を使って、画像認識する。
例  ４）指の動作／パターンの変化をコード、シークエンシャル・コード、インプット、アウトプットとする。
適宜な組み合わせと、適宜なアルゴリズムによる画像認識。
カメラ、ビデオカメラについては、広角レンズ、方向可変型レンズを使用してもよい。
このシステムは、基本的に、生のパターン、実在する指や、口のパターン、その次に来る、パターンからインプット情報を獲得する。例えば、指を四角の中で動かして、マウスのように使う。又、カメラは複数でも良い、若しくは、３Ｄインプット・カメラでもよく、３Ｄインプット・デバイスとしても、使用ができる。
骨盤振動、空気振動、を使って、インプットしても良い。
骨盤振動、空気振動、を使って、アウトプットしても良い。
オプションとして、シュミレーターによる予測が適宜であるならば、未来における、リアクションの最適値／最適判断の提案のようなことをしても良い。例えば、ピアノ／音楽の練習において間違いやすいところでは、先にアドバイスをしておくシステム。
【０００７】指の動きのカメラ／ビデオカメラ／赤外線センサー／モーションセンサー／センサーによって得られたデータ、位置、動作、生成熱から来るパターン／エネルギー／パワーの解析システムを有するシステム。
波振動、挙動、モーションの最適性を判断するシステム。それによって、動き／アクションが改善の余地があるとき、改善の予知が出来るとき、それを提案するシステム。
【０００８】  創意的にシステムを作る。その例として、
１）適宜に選択されたパターン領域を選択と判断。必要なら、カリブレーションがいる。
２）そのパターンを含んだ前記領域から、相違の生じた部分パターンにフォーカスする。
３）類似性の強いところよりむしろ、特徴の抽出を優先として情報の推測と解析する。
３）オプションとして、色認識、アウトライン抽出、３次元インプット・デバイスを活用する。
４）アルゴリズムにおいて、リニアーな、若しくは、ノンリニアーな、若しくはノンリニアーなウェイトをかけて解析をしても良い。
５）必要ならば、インプット情報、若しくは、アドバイス、若しくは、解析結果のアウトプットを出力する。
【０００９】１）  指などによる、情報の入出力／反応状況／解析の情報を比較して、アップデートされた情報をランタイムで入出力する。
２）  指、口、画像、ベクトル、マトリクス、テンソル、フィールドを使う。
【００１０】１）  レーザーを使って、口の中まで、瞬時にスキャンするマイク的なインプット・デバイス。紫外線レーザーを使って、口の中まで、瞬時にスキャンするマイク的なインプット・デバイス。使っているだけで、口の中がきれいになる効果を有するシステム。単数／複数のカメラを使って、読唇術を有するシステム。
２）  状況の解析をして、解決策をすばやく見つけるシステム。
【００１１】情報、インプット情報、アウトプット情報、画像のセクションわけをして、パラレルに情報を処理しても良い。コントラスト、波、情報の深さの情報も得る。
【図面の簡単な説明】
【００１２】
【図１】  吉野のバード・パターン。
【図２】  タイプ・イン／タイプ・アウトをする。押したところをシークエンシャル記憶しても良い。押されたところ、若しくは、押された箇所を液晶、若しくは、ＬＥＤ／無機／有機ＥＬで光らせても良い。つまり、インプットと共にアウトプット／ディスプレイ的な要素を持っていても良い。例えば、“Ｋｅｙｂｏａｒｄ”と打ち込みたいとき、Ｋと文脈から、Ｋｅｙ．．．ｂｏａｒｄと推測して、ヒカリ／ディスプレイ／提案しても良い。
【図３】  マウスとハンドの画像認識／音声認識／パターン認識／コード
【図４】  シンプルなパターン
【図５】  インプット・アウトプット・デバイスのサイドビュー。必要なら、ジョイントにアップトゥー６自由度を有しても良い。
【図６】  インプット・アウトプット・デバイスの斜め図。
【図７】  テレビ電話、若しくは、ボディー・コードのイグザンプル。
【図１】
2008041066.tif 000003
【図２】
2008041066.tif 000004
【図３】
2008041066.tif 000005
【図４】
2008041066.tif 000006
【図５】
2008041066.tif 000007
【図６】
2008041066.tif 000008
【図７】
2008041066.tif 000009
【手続補正書】
【提出日】平成18年8月8日(2006.8.8)
【手続補正１】
【補正対象書類名】特許請求の範囲
【補正対象項目名】全文
【補正方法】変更
【補正の内容】
【特許請求の範囲】
【請求項１】
明細書により、示唆される、インプット・アウトプット・デバイス。
【請求項２】
明細書により、示唆される、インプット・アウトプット・アルゴリズム。
【請求項３】
１）  検知手段によって、被写体の位置を見つけ、インプット情報の判断をする。
２）  必要ならば、被写体動作の情報を獲得してインプット・アウトプット・情報とする。
３）  情報から、適宜なインプットとアウトプットを判断する。
４）  これらの適宜な組み合わせを行う
ことを特徴とするシステム。
【請求項４】
請求項１において、吉野シュミレーター、吉野ニオンを使用するデバイス。
【請求項５】
請求項１において、吉野シュミレーター、吉野ニオンを使用するアルゴリズム。
【請求項６】
明細書により、示唆される、インプット・アウトプット・デバイスを利用したビジネス・モデル。
【請求項７】
明細書により、示唆される、シリコンの利用の宣伝を中心とした経済発展をもたらすビジネス・モデル。
【請求項８】
明細書により、示唆される、炭素の有効利用の宣伝を中心とした経済発展をもたらすビジネス・モデル。
【手続補正２】
【補正対象書類名】明細書
【補正対象項目名】全文
【補正方法】変更
【補正の内容】
【発明の詳細な説明】
【技術分野】
【０００１】  ボタン、キーボート、マウス画像認識における技術分野
【背景技術】
【０００２】ボタン、キーボード、マウスが基本的なインプット・デバイスである。
【発明の開示】
【発明が解決しようとする課題】
【０００３】ボタン、キーボード、マウスでは、製造とコストがかかりすぎる。
【課題を解決するための手段】
【０００４】ＬＳＩ／コンピューターを使い、紙／シートをベースとしたプリント・パターン、若しくは、レーザー／ヒカリを投射したパターンに、棒、ヒカリ、リードユニット、指、もしくは、腕、もしくは、足、もしくは、体、若しくは、体の一部、若しくは、体の数箇所、若しくは、顔、若しくは、口の動きをカメラ／ビデオカメラ／検知体／センサーで画像認識もしくは音声認識をして、ボタン、キーボード、マウス的なインプット、若しくは、一般的な情報として、インプット情報とする。繰り込みウェアー／コンピューター、若しくは  携帯電話、若しくは、人工ボディー、若しくは、アーティフィシャル・クリーチャーに搭載する。ウサギ、猫、虎、百個、獅子、鳥のような形をしていても良い。被写体として、指、顔、口、レター、声、言葉、音楽をインプットして使用してもよい。音声の解析と人工知能の搭載。音声の印刷をディスプレイ上にしても良い。印刷は、キーボードの一般的なパターンでも良い。ＡＴＧＣ用の遺伝的、４ビット、８ビット、１６ビット、４ベースペア、８ベースペア、１６ベースペア、キーボードであっても良い。２進数、４進数、ｎ進数であっても良い。プログラム、ＤＮＡプログラミング、ＤＮＡコンピューターなどに応用。多結晶ＴＦＴに使った液晶インプット／液晶ディスプレイでも良い。無機、有機物を使ったインプット／アウトプット・デバイスでも良い。人工知能搭載、キーの打ち込みの教育、姿勢の補正、医療の提案などをしても良い。吉野シュミレーター、吉野ニオンを使用して、解析をしても良い。吉野コードのインプット・アウトプットにも適宜である。
【発明の効果】
【０００５】コンピューターのカメラ、ビデオカメラ、テレビ電話においてかかるコストの近くで、ボタン、キーボード、マウス、カメラ、ビデオカメラ、の機能をすることが出来る。
使っていて、あまり手が疲れない。
体の姿勢をモニターして、姿勢があるべき姿／適宜な姿からずれたら、気遣ってアドバイスをする。
指の動かし方を教育したり、音楽を奏でたりするので、頭の発達に良い。
バイオリンを紙、若しくは、棒で演奏できる。
経済の発展につながるように宣伝できる。
【発明の実施する最良の形態】
【０００６】  紙もしくはプラスチックに、単色、濃色、淡色、カラフル色の適宜な組み合わせのパターンを印刷する。
インプット・カメラ、インプット・ビデオ・カメラで、指の動きを画像認識させて、パターン認識させる。
例    １）パターンの変化を見て、指の位置を確認する。
例    ２）色の変化を見て、指の位置を確認する。
例    ３）デルタ法を使って、画像認識する。
例  ４）指の動作／パターンの変化をコード、シークエンシャル・コード、インプット、アウトプットとする。
適宜な組み合わせと、適宜なアルゴリズムによる画像認識。
カメラ、ビデオカメラについては、広角レンズ、方向可変型レンズを使用してもよい。
このシステムは、基本的に、生のパターン、実在する指や、口のパターン、その次に来る、パターンからインプット情報を獲得する。例えば、指を四角の中で動かして、マウスのように使う。又、カメラは複数でも良い、若しくは、３Ｄインプット・カメラでもよく、３Ｄインプット・デバイスとしても、使用ができる。
骨盤振動、空気振動、を使って、インプットしても良い。
骨盤振動、空気振動、を使って、アウトプットしても良い。
オプションとして、シュミレーターによる予測が適宜であるならば、未来における、リアクションの最適値／最適判断の提案のようなことをしても良い。例えば、ピアノ／音楽の練習において間違いやすいところでは、先にアドバイスをしておくシステム。
【０００７】指の動きのカメラ／ビデオカメラ／赤外線センサー／モーションセンサー／センサーによって得られたデータ、位置、動作、生成熱から来るパターン／エネルギー／パワーの解析システムを有するシステム。
波振動、挙動、モーションの最適性を判断するシステム。それによって、動き／アクションが改善の余地があるとき、改善の予知が出来るとき、それを提案するシステム。
【０００８】  創意的にシステムを作る。その例として、
１）適宜に選択されたパターン領域を選択と判断。必要なら、カリブレーションがいる。
２）そのパターンを含んだ前記領域から、相違の生じた部分パターンにフォーカスする。
３）類似性の強いところよりむしろ、特徴の抽出を優先として情報の推測と解析する。
３）オプションとして、色認識、アウトライン抽出、３次元インプット・デバイスを活用する。
４）アルゴリズムにおいて、リニアーな、若しくは、ノンリニアーな、若しくはノンリニアーなウェイトをかけて解析をしても良い。
５）必要ならば、インプット情報、若しくは、アドバイス、若しくは、解析結果のアウトプットを出力する。
【０００９】１）  指などによる、情報の入出力／反応状況／解析の情報を比較して、アップデートされた情報をランタイムで入出力する。
２）  指、口、画像、ベクトル、マトリクス、テンソル、フィールドを使う。
【００１０】１）  レーザーを使って、口の中まで、瞬時にスキャンするマイク的なインプット・デバ  イス。紫外線レーザーを使って、口の中まで、瞬時にスキャンするマイク的なインプット・デバイス。使っているだけで、口の中がきれいになる効果を有するシステム。単数／複数のカメラを使って、読唇術を有するシステム。
２）  状況の解祈をして、解決策をすばやく見つけるシステム。
【００１１】情報、インプット情報、アウトプット情報、画像のセクションわけをして、パラレルに情報を処理しても良い。コントラスト、波、情報の探さの情報も得る。
【図面の簡単な説明】
【００１２】
【図１】  吉野のバード・パターン。
【図２】  タイプ・イン／タイプ・アウトをする。押したところをシークエンシャル記憶しても良い。押されたところ、若しくは、押された箇所を液晶、若しくは、ＬＥＤ／無機／有機ＥＬで光らせても良い。つまり、インプットと共にアウトプット／ディスプレイ的な要素を持っていても良い。例えば．“Ｋｅｙｂｏａｒｄ”と打ち込みたいとき、Ｋと文脈から、Ｋｅｙ．．．ｂｏａｒｄと推測して、ヒカリ／ディスプレイ／提案しても良い。
【図３】  マウスとハンドの画像認識／音声認識／パターン認識／コード
【図４】  シンプルなパターン
【図５】  インプット・アウトプット・デバイスのサイドビュー。必要なら、ジョイントにアップトゥー６自由度を有しても良い。
【図６】  インプット・アウトプット・デバイスの斜め図。
【図７】  テレビ電話、若しくは、ボディー・コードのイグザンプル。
【図８】  シリコンを中心として、経済発展につなげる、宣伝のフローチャート
【図９】  カーボンを中心として、経済発展につなげる、宣伝のフローチャート
【図１０】  結晶／クリスタルへの投資をシリアル若しくは、パラレルで行うチャート。若しくは、今の自分と未来の自分に投資する。若しくは、多重・プロジェクト・インベストメント。
【図１１】  例えば、歯医者さんにおいて、虫歯にならないような遺伝子配列をデザインするときに、吉野キーボードを使用する。そのときの、概念構想の図。
【手続補正３】
【補正対象書類名】図面
【補正対象項目名】全図
【補正方法】変更
【補正の内容】
【図１】
2008041066.tif 000010
【図２】
2008041066.tif 000011
【図３】
2008041066.tif 000012
【図４】
2008041066.tif 000013
【図５】
2008041066.tif 000014
【図６】
2008041066.tif 000015
【図７】
2008041066.tif 000016
【図８】
2008041066.tif 000017
【図９】
2008041066.tif 000018
【図１０】
2008041066.tif 000019
【図１１】
2008041066.tif 000020